(57)【特許請求の範囲】
【請求項１】
基部同士が回動可能に連結された左右一対のアームで布団を挟持して保持する布団挟みであって、
前記左右一対のアームが、それぞれ基部側の第１アームと、この第１アームの先端に対して，左右の第１アーム同士の対向空間内へ向けてそれぞれ折り畳み可能に連結された第２アームとを備え、この第２アームが、第１アームに対して伸ばされた第１の位置と、第１アームに対して，左右の第１アーム同士の対向空間内へ向けて折り畳まれた第２の位置とを選択的に採りうるとともに，前記第１アームには、前記第２アームを第１アームに対して伸ばした際に第２アームと当接して第２アームの回動を規制する第１規制部と、第２アームを左右の第１アーム同士の対向空間内へ向けて折り畳んだ際に第２アームと当接して第２アームの回動を規制する第２規制部とが形成されていることを特徴とする布団挟み。
【請求項２】
前記第２アームには、これが第１アームに対して内側に折り畳まれた状態での第２アーム同士の対向部に、布団に対する滑り止めが設けられていることを特徴とする請求項１記載の布団挟み。
【発明の詳細な説明】
【０００１】
【発明の属する技術分野】
本発明は、ベランダの手すり等に布団を干す際に、布団を挟んで保持するための布団挟みに関するものである。
【０００２】
【従来の技術】
従来の布団挟みとして、図９に示すようなものが知られている（実用新案登録第２５９９１９９号公報）。
この布団挟みは、基部１ａ、１ａ同士が回動可能に連結された左右一対のアーム１，１を有している。アーム１の基部１ａ同士は、軸部２で回動可能に連結されており、この軸部２の回りに捻りバネ３が設けられていて、この捻りバネ３によって、アーム１，１が、矢印Ａ方向（閉じ方向）に付勢されている。
したがって、このような布団挟みによれば、ベランダの手すり等に掛けた布団をアーム１の先端１ｂ、１ｂ間で挟んで保持することができる。
また、従来の布団挟みとして図１０に示すようなものも知られている（実開昭５３−１３６３４１号公報）。
この布団挟みは、本体４の一端４ａにコイルバネ等を介してアーム５が回動可能に取り付けられており、仮想線で示すように、ベランダの手すり６等に掛けた布団７をアーム５の先端５ａと、本体４の他端４ｂとで挟持して保持することができるようになっている。
【０００３】
【発明が解決しようとする課題】
上述した従来の布団挟みは、いずれのものも、その使用態様が一態様であり、比較的厚手の布団を挟持するには適しているが比較的薄手の布団（毛布やタオルケット等を含む）を挟持するのには必ずしも適していなかった。このため、比較的薄手の布団を挟持するためには、布団挟みほど大きくはないが通常の洗濯挟みよりは大きなピンチ（いわば中型のピンチ）を別途用意しなければならなかった。
【０００４】
この発明の目的は、以上のような問題を解決し、厚手の布団ばかりでなく薄手の布団も適切に挟持して保持することができる布団挟みを提供することにある。
【０００５】
【課題を解決するための手段】
上記目的を達成するために請求項１記載の布団挟みは、基部同士が回動可能に連結された左右一対のアームで布団を挟持して保持する布団挟みであって、
前記左右一対のアームが、それぞれ基部側の第１アームと、この第１アームの先端に対して，左右の第１アーム同士の対向空間内へ向けてそれぞれ折り畳み可能に連結された第２アームとを備え、この第２アームが、第１アームに対して伸ばされた第１の位置と、第１アームに対して，左右の第１アーム同士の対向空間内へ向けて折り畳まれた第２の位置とを選択的に採りうるとともに，前記第１アームには、前記第２アームを第１アームに対して伸ばした際に第２アームと当接して第２アームの回動を規制する第１規制部と、第２アームを左右の第１アーム同士の対向空間内へ向けて折り畳んだ際に第２アームと当接して第２アームの回動を規制する第２規制部とが形成されていることを特徴とする。
請求項２記載の布団挟みは、請求項１記載の布団挟みにおいて、前記第２アームには、これが第１アームに対して内側に折り畳まれた状態での第２アーム同士の対向部に、布団に対する滑り止めが設けられていることを特徴とする。
【０００６】
【作用効果】
請求項１記載の布団挟みは、基部同士が回動可能に連結された左右一対のアームで布団を挟持して保持する布団挟みであって、前記左右一対のアームが、それぞれ基部側の第１アームと、この第１アームの先端に対して，左右の第１アーム同士の対向空間内へ向けてそれぞれ折り畳み可能に連結された第２アームとを備え、この第２アームが、第１アームに対して伸ばされた第１の位置と、第１アームに対して，左右の第１アーム同士の対向空間内へ向けて折り畳まれた第２の位置とを選択的に採りうるので、この布団挟みは次のようにして使用することができる。
すなわち、比較的厚手の布団を挟持しようとする場合には、第２アームを第１アームに対して伸ばした状態にし、左右一対のアームで、通常通り厚手の布団を挟持し、保持することができる。
一方、比較的薄手の布団を挟持しようとする場合には、第２アームを第１アームに対して，左右の第１アーム同士の対向空間内へ向けて折り畳んだ状態とする。この状態にすると、アーム基部から第２アームの対向部同士すなわち布団に対する挟持力の作用点までの距離が短くなるので、第２アームを第１アームに対して伸ばした状態のときよりも、布団に対する挟持力が強くなる。
したがって、比較的薄い布団を強い挟持力で適切に挟持し、保持することができる。
以上のように、この請求項１記載の布団挟みによれば、厚手の布団を挟持する場合と薄手の布団を挟持する場合とで異なる使用態様を選択することができ、厚手の布団ばかりでなく薄手の布団も適切に挟持して保持することが可能となる。
請求項２記載の布団挟みによれば、請求項１記載の布団挟みにおいて、前記第２アームには、これが第１アームに対して内側に折り畳まれた状態での第２アーム同士の対向部に、布団に対する滑り止めが設けられているので、薄手の布団をより確実に挟持して保持することができる。
【０００７】
【発明の実施の形態】
以下、本発明の実施の形態について図面を参照して説明する。
図１は本発明に係る布団挟みの一実施の形態を示す図で（ａ）は正面図、（ｂ）は左側面図である。図２は図１（ａ）におけるＩＩ−ＩＩ断面図である。
これらの図に示すように、この布団挟みは、左右一対のアーム３０，３０を備えている。
これらアーム３０，３０は、その基部３１，３１同士が従来同様の軸部３２で回動可能に連結されている。軸部３２の構造は適宜の構造を採用し得る。例えば従来同様、図２に示すように、基部３１，３１に設けられた穴３３，３３に雄型ピン３４と雌型ピン３５とを両側から差し込んで、基部３１，３１同士を回動可能に連結する構造とする。
軸部３２の回りには従来同様の捻りバネ３６が設けられており、この捻りバネ３６によって、アーム３０，３０は矢印Ａ方向（閉じ方向であり挟み方向）に付勢されている。
【０００８】
左右一対のアーム３０，３０は、それぞれ基部３１側の第１アーム１０と、この第１アーム１０の先端に対して第１アーム１０の内側に折り畳み可能に（図７参照）連結された第２アーム２０とを備え、この第２アーム２０が、第１アーム１０に対して伸ばされた第１の位置（図１参照）と、第１アーム１０に対して内側に折り畳まれた第２の位置（図７参照）とを採りうるようになっている。
【０００９】
図３は第１アーム１０を示す図で、（ａ）は正面図、（ｂ）は左側面図、（ｃ）は図（ａ）におけるｃ−ｃ断面図である。なお、図３では一方の第１アーム１０を示しているが、他方の第１アーム１０は基本的には、対称形である。
図４は主として第２アーム２０を示す図で、（ａ）は正面図、（ｂ）は左側面図、（ｃ）は他方の第２アーム２０の一部切り欠き正面図および第１アーム１０の先端を仮想線で示した図、（ｄ）は図（ｃ）におけるｄ−ｄ断面図である。なお、一対の第２アーム２０は、対称形である。
【００１０】
図３に示すように、第１アーム１０は、その一端に前述した基部３１が形成されており、他端（先端）に第２アーム２０との連結部１１が形成されている。
連結部１１は、第１アーム１０の先端において突出して形成されており、軸受け穴１２を有している。
一方、図４に示すように、第２アーム２０の上端には、上記第１アーム１０の連結部１１と嵌まり合う凹状の連結部２１が形成されており、この連結部２１にも軸受け穴２２が形成されている。
したがって、第１アーム１０の連結部１１と第２アーム２０の連結部２１とを嵌め合わせ、両連結部の軸受け穴１２，２２に軸を挿入することによって第１アーム１０と第２アーム２０とを回動可能に連結することができる。この実施の形態では、図４（ｃ）（ｄ）に示すように、軸としての雄型ピン３７と雌型ピン３８とを両連結部の軸受け穴１２，２２に両側から差し込んで、第１アーム１０と第２アーム２０とを図５に示すように回動可能に連結してある。
【００１１】
図３〜図５に示すように、第１アーム１０の連結部１１には、第２アーム２０を第１アーム１０に対して伸ばした際に（図４（ｃ）参照）、第２アーム２０の上端２３と当接して第２アーム２０の回動を規制する第１規制部１３と、第２アーム２０を第１アーム１０の内側に折り畳んだ際に（図５の仮想線、および図７参照）、第２アーム２０の内側面上部２４と当接して第２アーム２０の回動を規制するための第２規制部１４とが形成されている。
したがって、第２アーム２０は、その上端２３が第１アーム１０の第１規制部１３に当接するまで開くことによって、第１アーム１０に対して伸ばすことができ、その内側面上部２４が第１アーム１０の第２規制部１４に当接するまで閉じることによって第１アーム１０の内側に折り畳むことができる。
また、第１アーム１０の連結部１１の下端には凸部１５が形成されており、この凸部１５が、第２アーム２０の角部２５とクリック感を持って係脱可能である。
したがって、第２アーム２０は、図５に仮想線で示すように折り畳まれた状態から実線で示す位置まで開く際、その角部２５が凸部１５を乗り越えるようにしてクリック感を伴ってその上端２３が上記第１規制部１３に当接し、逆に実線で示す位置から仮想線で示す位置に閉じる際には、その角部２５が凸部１５をクリック感を伴って乗り越えた後、その内側面上部２４が上記第２規制部１４に当接するまで回動することとなる。
なお、図４および図５において２８は、第２アーム２０を第１アーム１０の内側に折り畳む際に、第２アーム２０の内側面１８と第１アーム１０の内側面とが干渉しないように切り欠いたために形成された斜面であり、この斜面２８の上端部において、前記角部２５が形成されている。
【００１２】
第２アーム２０の先端には、軟質材からなる、布団に対しての滑り止めキャップ２６が被せてある。
また、第２アーム２０には、これが第１アーム１０に対して内側に折り畳まれた状態での第２アーム２０同士の対向部に、布団に対する凹凸状の滑り止め２７が形成されている。
【００１３】
以上のような布団挟みは、基部３１同士が回動可能に連結された左右一対のアーム３０，３０で布団を挟持して保持する布団挟みであって、左右一対のアーム３０，３０が、それぞれ基部３１側の第１アーム１０と、この第１アーム１０の先端に対してその内側に折り畳み可能に連結された第２アーム２０とを備え、この第２アーム２０が、第１アーム１０に対して伸ばされた第１の位置（図１参照）と、第１アーム１０に対して内側に折り畳まれた第２の位置（図７参照）とを採りうるので、この布団挟みは次のようにして使用することができる。
【００１４】
比較的厚手の布団Ｂ１（図６参照）を挟持しようとする場合には、図１に示すように、第２アーム２０を第１アーム１０に対して伸ばした状態にし、図６に示すように左右一対のアーム３０，３０で、通常通り厚手の布団Ｂ１を挟持し、保持することができる。
図６において、４０はベランダ等の手すりであり、上下方向に長い手すりである。
この図からも分かるように、第２アーム２０を第１アーム１０に対して伸ばした状態で使用する場合、上下方向に長い手すり４０に布団を掛けて挟持する場合に適している。
なお、第１アーム１０にはその肉抜き部によって指掛け部１６（図３参照）を形成してあるので、この指掛け部１６に指を掛けることによってアーム３０，３０を容易に開くことができる。
【００１５】
一方、比較的薄手の布団（毛布やタオルケット等を含む）を挟持しようとする場合には、図７に示すように、第２アーム２０を第１アーム１０に対して内側に折り畳んだ状態とし、図８に示すように比較的薄手の布団Ｂ２を挟持し保持する。
図８において、４１はベランダ等の手すりであり、パイプ状の手すりである。
この図からも分かるように、第２アーム２０を第１アーム１０に対して内側に折り畳んだ状態で使用する場合、パイプ状の手すり４１や上下方向に短い手すりに布団を掛けて挟持する場合に適している。
このように、第２アーム２０を第１アーム１０に対して内側に折り畳んだ状態にすると、アーム３０の基部３１から第２アーム２０の対向部（この場合滑り止め２７）同士すなわち布団に対する挟持力Ｆの作用点までの距離Ｌが、第２アーム２０を第１アーム１０に対して伸ばした場合の距離Ｌ１（図６参照）に比べて短くなるので、第２アーム２０を第１アーム１０に対して伸ばした状態（図６参照）のときよりも、布団に対する挟持力Ｆが強くなる。
したがって、比較的薄い布団Ｂ２を強い挟持力Ｆで適切に挟持し、保持することができる。
【００１６】
以上のように、この布団挟みによれば、厚手の布団Ｂ１を挟持する場合と薄手の布団Ｂ２を挟持する場合とで異なる使用態様を選択することができ、厚手の布団Ｂ１ばかりでなく薄手の布団Ｂ２も適切に挟持して保持することが可能となる。
また、第２アーム２０には、これが第１アーム１０に対して内側に折り畳まれた状態での第２アーム同士の対向部に、布団に対する滑り止め２７が設けられているので、薄手の布団Ｂ２をより確実に挟持して保持することができる。
【００１７】
以上、本発明の実施の形態について説明したが、本発明は上記の実施の形態に限定されるものではなく、本発明の要旨の範囲内において適宜変形実施可能である。
【００１８】
【図面の簡単な説明】
【図１】本発明に係る布団挟みの一実施の形態を示す図で（ａ）は正面図、（ｂ）は左側面図。
【図２】図１（ａ）におけるＩＩ−ＩＩ断面図。
【図３】第１アーム１０を示す図で、（ａ）は正面図、（ｂ）は左側面図、（ｃ）は図（ａ）におけるｃ−ｃ断面図。
【図４】主として第２アーム２０を示す図で、（ａ）は正面図、（ｂ）は左側面図、（ｃ）は他方の第２アーム２０の一部切り欠き正面図および第１アーム１０の先端を仮想線で示した図、（ｄ）は図（ｃ）におけるｄ−ｄ断面図。
【図５】第１アーム１０に対する第２アーム２０の開閉状態を示す図。
【図６】第１の使用態様を示す図で、比較的厚手の布団Ｂ１を挟持している状態の図。
【図７】第２アーム２０を第１アーム１０に対して内側に折り畳んだ状態を示す図で、（ａ）は正面図、（ｂ）は左側面図。
【図８】第２の使用態様を示す図で、比較的薄手の布団Ｂ２を挟持している状態の図。
【図９】（ａ）（ｂ）は従来技術の説明図。
【図１０】他の従来技術の説明図。
【符号の説明】
Ｂ１，Ｂ２    布団
１０    第１アーム
２０    第２アーム
２７    滑り止め
３０    アーム
３１    基部
【図１】
0004371613.tif 000002
【図２】
0004371613.tif 000003
【図３】
0004371613.tif 000004
【図４】
0004371613.tif 000005
【図５】
0004371613.tif 000006
【図６】
0004371613.tif 000007
【図７】
0004371613.tif 000008
【図８】
0004371613.tif 000009
【図９】
0004371613.tif 000010
【図１０】
0004371613.tif 000011